(57)【要約】【課  題】従来のバケツは、取っ手を水平よりも高い位置で支持することができなかったので、取っ手を掴むために屈みこむ必要があった。【解決手段】バケツ１の本体２には、取っ手３を支持するための支持部材６が設けられる。ハンドル５をＣの方向へ移動させると、取っ手３は重力で回転し、支持部材６に支持されて静止する。この状態で、取っ手３は、水平方向よりも高い角度αに位置付けられる。取っ手３が水平方向よりも高い位置で支持されるので、取っ手３のハンドル５を掴むために屈みこむ必要がない。取っ手３をＤの方向へ移動すると、取っ手３は重力で回転し、ハンドル５が本体２に接する状態で静止する。【選択図】  図１
2004358169.tif 000002
【特許請求の範囲】
【請求項１】
本体と、
この本体に軸を介して取り付けられ、この軸を中心に第１および第２の方向に回転可能な取っ手と、
この取っ手が前記第１の方向に回転した場合には、前記取っ手を水平よりも高い位置に支持するとともに、前記取っ手が前記第２の方向に回転した場合には、前記取っ手の回転を妨げない支持部材とを含むバケツ。
【請求項２】
前記支持部材が、前記本体に設けられた突起であることを特徴とする請求項１記載のバケツ。
【請求項３】
前記支持部材が前記バケツの前記本体とは別体に設けられ、
前記支持部材が、前記バケツの前記本体の端縁を受容する第１の受容部と、前記バケツの前記取っ手を受容する第２の受容部とを有し、
前記支持部材が前記バケツの前記本体と前記取っ手との間に介在することにより前記取っ手を支持することを特徴とする請求項１記載のバケツ。
【請求項４】
バケツの本体の端縁を受容する第１の受容部と、バケツの取っ手を受容する第２の受容部とを有することを特徴とするバケツの取っ手の支持部材。
【発明の詳細な説明】
【０００１】
【発明の属する技術分野】
この発明は、液体、粉体などを運搬するための家庭用または業務用のバケツに関する。
【０００２】
【従来の技術】
従来の一般的なバケツは、本体と、この本体に軸を介して回転自在に取り付けられた取っ手と、この取っ手の中央部に設けられたハンドルとを含んで構成されていた。
【０００３】
また、以下の特許文献１には、組立体３３および３７により取っ手２４を水平位置に固定するバケツが開示されている。
【０００４】
【特許文献１】
特開平５−１９３６６０号
【０００５】
【発明が解決しようとする課題】
上述の従来の一般的なバケツを床に置いて取っ手から手を離すと、取っ手は重力で回転し、ハンドルがバケツ本体の側部に接する位置で静止する。バケツを再び持ち上げるには、静止状態のハンドルを掴む必要があるが、静止状態のハンドルは低い位置にあるため、これを掴むには、屈みこんで窮屈な姿勢をとらねばならない。このため、頻繁に持ち運びを繰り返す場合、疲れやすく、また、腰を痛めやすいという問題があった。また、静止状態のハンドルを掴むためには、ハンドルとバケツ本体の間に指を差し入れなくてはならない。このため、頻繁に持ち運びを繰り返すと、摩擦等で指を痛めやすいという問題があった。
【０００６】
また、特許文献１に開示されているバケツでは、取っ手２４が水平状態で固定されてしまうため、持ち運びのたびに取っ手２４を固定状態から解放せねばならず、むしろ不便である。また、取っ手が水平位置にある状態は、使用者がハンドルを掴むのに便利な位置ではない。
【０００７】
上述のような従来技術の問題に鑑み、本発明の目的は、頻繁な持ち運びに適したバケツを提供することにある。
【０００８】
本発明の他の目的は、取っ手を水平よりも高い位置に支持する支持部材を有するバケツを提供することにある。支持部材は、取っ手が第１の方向に回転したときには取っ手を所定の高さに支持するとともに、取っ手が第２の方向に回転したときには取っ手の回転を妨げない。
【０００９】
【課題を解決するための手段】
上述の課題を解決するために、本発明に係るバケツは、本体と、この本体に軸を介して取り付けられ、この軸を中心に第１および第２の方向に回転可能な取っ手と、この取っ手が前記第１の方向に回転した場合には、前記取っ手を水平よりも高い位置に支持するとともに、前記取っ手が前記第２の方向に回転した場合には、前記取っ手の回転を妨げない支持部材とを含む。
【００１０】
前記支持部材が、前記取っ手を、水平位置よりも所定角度だけ高い位置で支持するように構成しても良い。この所定角度として、３０度乃至６０度が好適であり、特に、４０度乃至５０度が好ましい。前記支持部材は、前記本体に設けられた突起であっても良い。前記取っ手の回転の衝撃を和らげるために、前記支持部材に弾性を与えても良い。
【００１１】
前記支持部材が前記バケツの前記本体とは別体に設けられ、前記支持部材が、前記バケツの前記本体の端縁を受容する第１の受容部と、前記バケツの前記取っ手を受容する第２の受容部とを有し、前記支持部材が前記バケツの前記本体と前記取っ手との間に介在することにより前記取っ手を支持するように構成しても良い。
【００１２】
本発明に係るバケツの取っ手の支持部材は、バケツの本体の端縁を受容する第１の受容部と、バケツの取っ手を受容する第２の受容部とを有する。
【００１３】
【発明の実施の形態】
以下、本発明の実施の形態を図面に基づいて説明する。
【００１４】
図１は本発明の第１の実施例に係るバケツを側方から見た図である。図２および図３は図１のバケツを、図１中のＡおよびＢの方向から、それぞれ見た場合の図である。
【００１５】
図１乃至図３を参照すると、バケツ１の本体２の形状は、従来のバケツと概略同じである。本体２の側部には、軸４が設けられている。従来のバケツと同様に、軸４には、取っ手３が軸４を中心に回転自在に取り付けられている。バケツ１の本体２および取っ手３の材料は、プラスチック、金属など、通常のバケツと同様の材料から選択できる。
【００１６】
取っ手３の中央部には、ハンドル５が設けられている。ハンドル５は、取っ手３の一部を把持に適する大きさに膨張させることにより、取っ手３と一体に設けても良い。
【００１７】
本体２の側面には、支持部材６が設けられている。支持部材６を、本体２とは別体として用意し、後に本体２に取り付けても良い。また、本体２の側面の一部を膨出させることにより、支持部材６を本体２と一体に設けても良い。
【００１８】
図４を参照すると、支持部材６は取っ手３を支持する上面を有する。この上面が取っ手３と平行となるように、支持部材６は角度をもって本体２の側面に設けられている。取っ手３が支持部材６と衝突することにより破損のおそれがある場合は、支持部材６の上部にバネ、ゴム等の弾性部材を取り付けても良い。
【００１９】
図１および図４を参照すると、ハンドル５を図１中のＣの方向へ移動させると、取っ手３は重力で回転し、支持部材６に接する位置で静止する。この状態で、取っ手３は、水平線よりも高く位置付けられ、水平線と角度αをなす。支持部材６の位置を選択することにより、静止状態の取っ手３の角度αを調節することができる。角度αは３０度から６０度の範囲が好適であり、特に、４０度から５０度の範囲が好ましい。また、ハンドル５が使用者に便利な一定の高さとなるように、バケツの高さに応じて取っ手３の角度αを調整することが好ましい。具体的には、ハンドル５が床から４０ｃｍから６０ｃｍの位置になるように、取っ手３の角度αを調節することが好ましい。
【００２０】
図１および図５を参照すると、取っ手３を図１中のＤの方向へ移動すると、取っ手３は重力で回転し、従来の一般的なバケツと同様に、ハンドル５が本体２の側面に接する状態で静止する。
【００２１】
第１の実施例に係るバケツでは、取っ手３が水平よりも高い角度αで支持されるので、バケツを持ち上げる際に、屈みこむ必要がない。また、この静止状態において、ハンドル５が本体２の側面と離隔しているので、ハンドル５を容易に掴むことができる。
【００２２】
さらに、図６を参照すると、本体２の側面とハンドル５の間の空間を利用して、雑巾７をハンドル５に掛けることもできる。
【００２３】
次に、本発明の第２の実施例について説明する。図７は、第２の実施例に係る支持部材６０を側方から見た図である。支持部材６０は、支点６３を中心に回転可能に取り付けられた第一の部材６１および第二の部材６２を含む。第一の部材６１は、第一の下端部６７から支点６３に至る湾曲部と、支点６３から第一の上端部６５へ至る直線部とを含む。第二の部材６２は、第二の下端部６８から支点６３至る湾曲部と、支点６３から第二の上端部６６へ至る直線部とを含む。第一の部材６１と第二の部材６２との間には、丸い形状のバネ６４が取り付けられている。第一の部材６１および第二の部材６２はプラスチックで、バネ６４は金属で、それぞれ形成できる。
【００２４】
第一の部材６１の湾曲部と第二の部材６２の湾曲部とが、下方から挿入される物体を受容する第一の受容部６９を形成する。第一の部材６１の直線部と第二の部材６２の直線部とが、上方から挿入される部材を受容する第二の受容部７０を形成する。
【００２５】
第一の部材６１および第二の部材６２は、バネ６４の弾性により第一の下端部６７と第二の下端部６８とが接する方向へ付勢されている。このため、通常状態では第一の下端部６７と第二の下端部６８とは密着している。第一の上端部６５と第二の上端部６６とを接近させると、第一の下端部６７と第二の下端部６８との間が開き、第一の受容部６９に物体を挿入することができる。
【００２６】
図８は、支持部材６０の第一の収容部６９および第二の収容部７０に、バケツ１の本体２の上端部および取っ手３を、それぞれ収容した場合の図である。図８を参照すると、第一の収容部６９を構成する第一の部材６１の下部および第二の部材６２の下部は湾曲しているため、第一の受容部６９は左右方向に十分な空間を有する。このため、バケツ１の本体２の端縁８に強度保持用の折り返しやリブが設けられている場合でも、バネ６４の弾性により本体２を確実に把持することができる。取っ手３は第二の収容部７０に収容され、バネ６４の上に載置される。
【００２７】
図９はバケツ１の取っ手３を支持部材６０で支持したときの構造を側方から見た図である。図１０および図１１は図９のバケツを、同図中のＡおよびＢの方向から、それぞれ見た場合の図である。
【００２８】
図９乃至図１１を参照すると、支持部材６０を用いた場合、バケツ１の本体２には支持部材を設ける必要がなく、従来の一般的なバケツをバケツ１として用いることができる。支持部材６０の第一の収容部６９にバケツ１の本体２の端縁８が収容されるとともに、第二の収容部７０にバケツ１の取っ手３が収容される。
バケツ１の本体２と取っ手３との間に、支持部材６０が介在することにより、取っ手３は水平よりも高い所定の角度に支持される。
【００２９】
図１１を参照すると、支持部材６０を軸４に近い位置Ｅに移動すると、取っ手３はより高い角度で支持される。反対に、支持部材６０を軸４から遠い位置Ｆに移動すると、取っ手３はより低い角度で支持される。このように、支持部材６０の位置を変えることにより、支持状態における取っ手３の角度を調整することができる。
【００３０】
次に、本発明の第一の実施例の変形例について説明する。図１２（ａ）を参照すると、この変形例では、バケツ１の本体２の強度を高めるため、本体２の端縁８が折り返されてリブが形成されている。このような構造の場合、図１２（ａ）に示されるように、支持部材６を本体２ではなく、リブに取り付けても良い。また、図１２（ｂ）に示されるように、支持部材６がリブを貫通しても良く、さらにリブを貫通した支持部材を本体２に固定しても良い。
【００３１】
【発明の効果】
このように、本発明の第一の実施例によると、バケツ１の本体２に設けられた支持部材６により、取っ手３が水平位置よりも高い所定の角度で支持されるので、頻繁に運搬を繰り返す場合でも疲れにくい。また、ハンドル５と本体２とが離れた状態で静止するので、ハンドル５を握る際に摩擦等で指を痛めることもない。取っ手３は単に支持されているだけで固定されてはいないので、取っ手３を支持状態から解放する際に、固定具等を解除する必要もない。さらに、ハンドル５に雑巾等を掛けることもできる。
【００３２】
また、本発明の第二の実施例によると、支持部材６０を用いることにより、従来の一般的なバケツに何ら変更を加えなくても、取っ手３を水平位置よりも高い所定角度で支持することができる。また、支持部材６０の位置を変えることにより、取っ手３の静止状態の角度を調整することができる。
【図面の簡単な説明】
【図１】本発明の第一の実施例に係るバケツ１を側方から見た図。
【図２】図１の構成を同図中のＡ方向から見た図。
【図３】図１の構成を同図中のＢ方向から見た図。
【図４】図１の支持部材６周辺の構成を拡大した図。
【図５】図１の構成において、取っ手３を、同図中のＤ方向に移動した場合の構成を示した図。
【図６】図１の構成において、ハンドル５に雑巾７を掛けた状態を示す図。
【図７】本発明の第２の実施例に係る支持部材６０の構成を示す図。
【図８】支持部材６０の第一の収容部６９および第二の収容部７０に、バケツ１の本体２および取っ手３をそれぞれ収容した状態を示す図。
【図９】支持部材６０によりバケツ１の取っ手３を支持した状態を示す図。
【図１０】図９の構成を同図中のＡ方向から見た場合の図。
【図１１】図９の構成を同図中のＢ方向から見た場合の図。
【図１２】本発明の第一の実施例の変形例を示す図。
【符号の説明】
１  バケツ
２  本体
３  取っ手
４  軸
５  ハンドル
６  支持部材
７  雑巾
８  端縁
６０  支持部材
６１  第一の部材
６２  第二の部材
６３  支点
６４  バネ
６５  第一の上端部
６６  第二の上端部
６７  第一の下端部
６８  第二の下端部
６９  第一の受容部
７０  第二の受容部
【図１】
2004358169.tif 000003
【図２】
2004358169.tif 000004
【図３】
2004358169.tif 000005
【図４】
2004358169.tif 000006
【図５】
2004358169.tif 000007
【図６】
2004358169.tif 000008
【図７】
2004358169.tif 000009
【図８】
2004358169.tif 000010
【図９】
2004358169.tif 000011
【図１０】
2004358169.tif 000012
【図１１】
2004358169.tif 000013
【図１２】
2004358169.tif 000014